(57)【要約】【課題】  取付工事が簡単で、しかも垂直や水平方向の何れの方向に対する使用も簡便に行い、且つ保守管理を容易ならしめる配管取付用バンド体の提供。【解決手段】  長さ方向の中央に一定巾と一定長さ寸法のスリットを穿設し、且つ長さ方向の片端に係合角を備えた直方形の支持板体と、該支持板体の上記係合角を挿入する透孔を上面側へ備えた椀状鍔体と、該椀状鍔体の内方で上記支持板体の係合角と係合して一体化させると共に、裏底面側の円周方向に複数の係合爪を備えた係合円板体と、該係合円板体の上記係合爪と係合する複数の係合爪を備えさせるほか、壁面側に取付け可能にする複数の止着用透孔を穿設し、且つ上記椀状の鍔体内へ隠れる大きさ寸法をなした取付け円板体とからなる。【選択図】      図１
2005042886.tif 000002
【特許請求の範囲】
【請求項１】
長さ方向の中央に一定巾と一定長さ寸法のスリットを穿設し、且つ長さ方向の片端に係合角を備えた直方形の支持板体と、該支持板体の上記係合角を挿入する透孔を上面側へ備えた椀状鍔体と、該椀状鍔体の内方で上記支持板体の係合角と係合して一体化させると共に、裏底面側の円周方向に複数の係合爪を備えた係合円板体と、該係合円板体の上記係合爪と係合する複数の係合爪を備えさせるほか、壁面側に取付け可能にする複数の止着用透孔を穿設し、且つ上記椀状の鍔体内へ隠れる大きさ寸法をなした取付け円板体とからなることを特徴とする配管取付用バンド体。
【請求項２】
支持板体の係合角は２個、係合円板体の係合爪は２個となしたことを特徴とする請求項１記載の配管取付用バンド体。
【請求項３】
支持板体の係合角は２個、係合円板体の係合爪は４個となしたことを特徴とする請求項１記載の配管取付用バンド体。
【請求項４】
取付け板体の係合爪を２個或いは４個となし、止めネジ孔は隣り合う係合爪の中間位置に穿設したことを特徴とする請求項１、２又は３記載の配管取付用バンド体。
【発明の詳細な説明】
【技術分野】
【０００１】
本発明は給排水などの管体を壁面に対し一定の間隔下に架設するために使用する配管取付用バンド体に関する。
【背景技術】
【０００２】
雨桶や給排水管などを壁面の外方に於ける一定間隔下に架設するものとして鍔付バンド体やＴ型脚バンド体がある。図５は従来品を示すものであって、即ち配管取付用バンド体は一定長さ寸法を備えた直方形の板体１’を介して帽子型鍔体２’に取付け、帽子型鍔体２’内の外方へ突出したネジボルト３’を壁面側へ埋設固定される埋込みナット４’に対しネジ込んで止着保持させるのである。
図６は他の従来品であり、これは上記に於ける帽子型鍔体２’を平板体２”のものに変更し、これとの溶接でＴ型脚になしたものであり、止着は平板体２”に穿設した透孔からネジ釘を打込んで壁面へ直接的に止着固定させるのである。
【特許文献１】特開２００１−１０８１４９
【発明の開示】
【発明が解決しようとする課題】
【０００３】
上記した従来例の図５に示したものは、その取付けにさいし予めボルト３’と螺合止着させる埋込みナット４’を壁面内へ埋込み施工しておく必要があり、また鉄骨材に対してはこの螺合用ネジのタッピング加工を必要とする。しかも何れの場合も、その螺合止着時のネジボルトのネジ込みが配管の適正支持位置になるとは限らず、従ってその保持状態を常時適確且つ強固な保持状態にすることができない。
これに対し図６に示したものは、壁面側の埋込みナット４’を不要にして外部から直接的にネジ釘を使用して止着できるものの、縦方向の止着と横方向の止着の二形式のものを作成する必要があるとか、またその平板体２”が直接的に外方へ露出するため美観上で見劣りする問題がある。
本発明は斯有る問題点を解決せんとするものである。
【課題を解決するための手段】
【０００４】
本発明の配水管取付用バンド体は、長さ方向の中央に一定巾と一定長さ寸法のスリットを穿設し、且つ長さ方向の片端に係合角を備えた直方形の支持板体と、該支持板体の上記係合角を挿入する透孔を上面側へ備えた椀状鍔体と、該椀状鍔体の内方で上記支持板体の係合角と係合して一体化させると共に、裏底面側の円周方向に複数の係合爪を備えた係合円板体と、該係合円板体の上記係合爪と係合する複数の係合爪を備えさせるほか、壁面側に取付け可能にする複数の止着用透孔を穿設し、且つ上記椀状の鍔体内へ隠れる大きさ寸法をなした取付け円板体とからなる。
このさい、支持板体の係合角は２個、係合円板体の係合爪は４個となし、また取付け円板体の係合爪は２個或いは４個となし、止めネジ孔は隣り合う係合爪の中間位置に穿設されるものとなす。
【発明の効果】
【０００５】
本発明は以上の通り構成するものであって、給排水管などの取付工事を必要とする壁面や鉄骨材などに対し、その施工後に必要な任意箇所へ取付け円板体を外方から適宜に取付けることにより、必要な配水管工事を行うことが可能となる。しかも、このさい取付け円板体は椀状鍔体の内方へ隠れたものとなり、外方からは見えるものとならないので美観上優れると共に、雨風時に吹付けられて壁面を流れる雨水などに対し何ら支障を生じせしめたりするものとならない。
とりわけ、本発明品では支持板体の取付け作業が取付け円板体の外方から少し時計方向へ回動させるだけの簡易な操作で可能であり、また取外し作業はその逆操作で行えることから保守管理を含めて作業効率の向上に寄与すること大ならしめるものである。なお、本発明品の支持板体は取付け円板体に４個の係合爪を有するものを使用したものでは、その縦方向或いは横方向の何れの方向に対する取付け作業をも可能にして簡便且つ迅速な機能性に優れる。
【発明を実施するための最良の形態】
【０００６】
図１は本発明に係る配管取付用バンド体の部品図である。図に於いて１は後述の配管用バンド帯の支持板体であって、長さ方向の中央に一定巾と同長さ寸法のスリット２を穿設したものとなしてあり、且つ長さ方向の片端には２個の係合角３，３が突設させてある。
【０００７】
４は上記支持板体１の突出した係合角３，３が挿入され、その内方で係合止着させるための透孔４ａ，４ｂを穿設してなる椀状鍔体である。一方５は係合円板体であって上記椀状鍔体４の内方で上記支持板体１の係合角を再係合する透孔５ａ，５ｂが穿設してあり、また周縁の等間隔には２個或いは４個（図示例では４個）の係合爪６ａ，６ｂ，６ｃ，６ｄが切り起しにより形成したものとなされるほか、中央箇所には上記切り起しの係合爪と同一方向に突起７の形成されるものとなしてある。
【０００８】
他方、８は壁面や外板面へ取付け止着させる取付け円板体であって、上面側へ上記係合爪６ａ，６ｂ，６ｃ，６ｄと夫々れ対応して係合止着させる係合爪９ａ，９ｂ，９ｃ，９ｄが切り起して作成したものとなしてあり、１０ａ，１０ｂ，１０ｃ，１０ｄはこれら係合爪の隣り合う中間箇所に穿設してなる止着用孔であり、また１１は上記係合円板体５の突起７が嵌入可能となされる凹窩である。
【０００９】
図２は上記した支持板体１と椀状鍔体４及び係合円板体５とを一体化させた斜視図であり、即ち支持円板体１の係合角３，３を椀状鍔体４の表面側からその透孔４ａ，４ａへ挿入させると共に、これを椀状鍔体４の内面側で係合円板体５の透孔５ａ，５ａまで貫通させ、且つ該部でかしめたり或いは溶着させて一体化させるものとなすのであり、このさい係合円板体５の係合爪６ａ，６ｂ，６ｃ，６ｄ及び突起７はその開放側へ位置するものとなされる。
【００１０】
図３は上記構成の係合円板体５（但し、支持板体１及び椀状鍔体４は図示を省略してある）を、取付け円板体８に対して係合止着させる作用説明図であって、係合円板体５の突起７を取付け円板体８の凹窩１１と一致するように対合させ、図示例で時計方向（イ）へ少し回動させるようになすのであり、これにより係合円板体５の係合爪６ａ，６ｂ，６ｃ，６ｄと取付け円板体８の係合爪９ａ，９ｂ，９ｃ，９ｄとが夫々れ係合し合って止着されるものとなるのである。
【００１１】
上記取付け円板体８の外壁面に対する取付けは、その止着孔の１つとこれと線対称をなす他の１つの止着孔が垂直若しくは水平となるようにネジ釘などを使用して止着させるのであり、図示した４個の止着孔を使用した本例では１０ａと１０ｃが垂直方向、１０ｂと１０ｄが水平方向となるように止着させたものである。このさい、鉄骨材に対してはネジ孔を切って取付けたものとなしてある。
【００１２】
而して、上記取付け円板体８の取付けにさいしては２個或いは４個の係合爪と、上記係合円板体５の係合爪とが夫々れ係合するようになさしめるのであり、該係合は上記した通り係合円板体５の突起７を取付け円板体８の凹窩１１と一致するように対合させ、時計方向へ少し回動させるようになすことにより係合止着させることができるのである。
【００１３】
図示例では取付け円板体８に４個の止着孔１０ａ，１０ｂ，１０ｃ，１０ｄを設けたものであり、且つその止着では止着孔１０ａと１０ｃが垂直方向へ、そして１０ｂと１０ｄがこれと直交する水平方向となされるため、従って上記の係合止着では支持板体１が垂直となる方向に持ちながら、これを少し斜め方向から垂直方向へ廻すようにすることで簡便且つ迅速に可能となる。これに対し、支持板体１を水平方向に持ちながら行う場合は、上記と直交する水平方向の取付けとなるのであり、即ち図４Ａは配管締付用のバンド１２を垂直方向に取付けた状態（但し、壁面は図示せず）を示し、同Ｂは水平方向に取付けた状態のものを示す。
【００１４】
上記例では取付け円板体８に４個の止着孔を有したものの説明図であるが、２個のものに於ける配管の垂直方向への取付けでは当該止着孔が垂直方向となるように、これに対し配管の水平方向への取付けでは当該止着孔が水平方向となるように取付けることにより、実施可能になるのである。
【００１５】
上記による本発明品の実施では、何れの場合にも取付け円板体８は、椀状鍔体４の内方へ隠されており、壁面の外方から見えるものとならない。
【図面の簡単な説明】
【００１６】
【図１】本発明に係る配管取付用バンド体の部品図である。
【図２】上記支持板体と椀状鍔体及び係合円板体を一体化させた斜視図である。
【図３】上記係合円板体と取付け円板体との係合止着作用説明図である。
【図４】本発明品の組立て及び取付けを壁面側から見た説明図であって、Ａは縦配管位置を、Ｂは横配管位置を示す。
【図５】従来品の配管取付用バンド体である。
【図６】従来品の他の例である。
【符号の説明】
【００１７】
１      支持板体
２      スリット
３      係合角
４      椀状鍔体
５ａ    透孔
６ａ，６ｂ，６ｃ，６ｄ    係合爪
７      突起
８      取付け円板体
９ａ，９ｂ，９ｃ，９ｄ    係合爪
１０ａ，１０ｂ，１０ｃ，１０ｄ    止着用孔
１１    凹窩
【図１】
2005042886.tif 000003
【図２】
2005042886.tif 000004
【図３】
2005042886.tif 000005
【図４】
2005042886.tif 000006
【図５】
2005042886.tif 000007
【図６】
2005042886.tif 000008